(57)【特許請求の範囲】
【請求項１】
複数の組立片を組み合わせて一定形状の完成体を組み立てる組み立て方法が複数存在する組立パズルにおいて、
前記複数の組立片の中のいずれか複数の組立片が貫通通路を有し、前記完成体を組み立てることにより、各組み立て方法による完成体毎に、該貫通通路が連続した識別通路が形成され、
前記組立片に、前記識別通路に対応したマークが付され、
前記組立片の形状が線対称である場合には、該組立片の貫通通路を線対称に配置し、前記組立片の形状が点対称である場合には、該組立片の貫通通路を点対称に配置した組立パズル。
【発明の詳細な説明】
【技術分野】
【０００１】
従来から、複数の組立片を組み合わせて一定形状の完成体を組み立てる種々の組立パズルが案出され使用されている（例えば、特許文献１参照。）。この組立パズルの中には、組立方法が複数存在するものがある。この場合、一の組立方法によって完成体を組み立てた時に、どの組立方法であったかを、説明書により確認する。例えば、５通りの組立方法がある場合、説明書には５通りの組立方法が記載されており、組み立てた人は、その中のどの組立方法であるかを図等を見ながら確認する。このため、一の組立方法によって完成体を組み立てて、組立方法を説明書により確認することにより、他の組立方法を知ってしまうことによって、組み立てる楽しみが半減してしまうことがある。
【特許文献１】特表２０００−５１５４１３号公報
【発明の開示】
【発明が解決しようとする課題】
【０００２】
そこで、本発明者は、このような課題の原因を究明してこのような課題を解決するべく、鋭意研究を重ねた結果、本発明に至ったのである。
【０００３】
すなわち、本発明は、説明書を見なくとも、如何なる組立方法によって組み立てたのかを識別できる組立パズル及びその製造方法を案出することにより、組立パズルの楽しさを増大させることを目的とする。
【課題を解決するための手段】
【０００４】
本発明の組立パズルは、複数の組立片を組み合わせて一定形状の完成体を組み立てる組み立て方法が複数存在する組立パズルにおいて、前記複数の組立片の中のいずれか複数の組立片が貫通通路を有し、前記完成体を組み立てることにより、各組み立て方法による完成体毎に、該貫通通路が連続した識別通路が形成され、前記組立片に、前記識別通路に対応したマークが付され、前記組立片の形状が線対称である場合には、該組立片の貫通通路を線対称に配置し、前記組立片の形状が点対称である場合には、該組立片の貫通通路を点対称に配置したことを特徴とする。

【０００５】
本明細書及び特許請求の範囲において、識別通路とは、貫通するとともに、如何なる組立方法によって組み立てたのかを識別できる通路を言う。識別マークとは、番号、文字、図形、記号、模様等であり、一定の識別通路を指標できるものを言う。
【発明の効果】
【０００６】
本発明の組立パズルによれば、完成体を組み立てた時に、如何なる識別通路が貫通しているかによって、如何なる組立方法によって組み立てた完成体であるかを認識できる。このため、説明書を見なくとも、如何なる組立方法によって組み立てたのかを識別でき、説明書を見ることによって他の組立方法を知ってしまうことがなく、組み立てる楽しさを増大させることができる。また、完成体を組み立てた時に、貫通通路が形成されるため、組み立てた時の爽快感や達成感を増大できる。
【０００７】
また、識別通路に対応したマークが付された本発明の組立パズルによれば、貫通した識別通路に対応する番号等の識別マークにより、第何番目の組立方法によって組み立てたのかを瞬時に認識できる。
【０００８】
また、前記組立片の形状が線対称である場合には、該組立片の貫通通路を線対称に配置し、前記組立片の形状が点対称である場合には、該組立片の貫通通路を点対称に配置した本発明の組立パズルによれば、組立片を如何なる方向に向けて組み立てたとしても、所定の識別通路が貫通することを確保できる。これにより、本発明の作用及び効果を確実に生じさせて、本発明の技術的意義を実効あらしめることができる。
【発明を実施するための最良の形態】
【０００９】
次に、本発明に係る組立パズル及び組立パズルの製造方法の実施の形態について、図面に基づいて詳しく説明する。
【００１０】
図１〜図４において、符号１０は、本発明の組立パズルであり、５個の組立片Ｖ，Ｃ，Ｆ，Ｄ及びＱを組み合わせて立方体（一定形状）の完成体１２を組み立てる組立パズルである。組立パズル１０の材質は、木材、フォーム、プラスチック等、特に限定されない。
【００１１】
この組立パズル１０は、５個の組立片Ｖ，Ｃ，Ｆ，Ｄ及びＱの中の組立片Ｖ，Ｃ，Ｆ，Ｄ及びＱが貫通通路ｑ１，ｖ１，ｄ１等を有し、完成体１２を組み立てることにより、貫通通路が連続した識別通路１４が形成される組立パズルである。この組立パズル１０は、組み立て方法が４通り存在し、各組み立て方法による完成体１２毎に識別通路１４が形成される。なお、各組立方法において、各組立片Ｖ，Ｃ，Ｆ，Ｄ及びＱを裏返して組み立てても完成体１２を形成できるから、組立方法は、厳密には、８通りである。
【００１２】
完成体１２の識別通路１４を形成する貫通通路を有するとともに完成体１２の表面側に位置する組立片には、識別通路１４に対応した番号（マーク）が付され、完成体１２の外部からこの番号を視認できる。番号が付された組立片は、貫通通路の一方の開口部近辺に番号が付され、他の開口部付近にこの番号に対応する他の番号が付されている。
【００１３】
図１に示す完成体１２−１は、第一の組立方法により組み立てた完成体である。完成体１２−１を完成させた時、組立片Ｑの貫通通路ｑ１、組立片Ｖの貫通通路ｖ１、及び組立片Ｄの貫通通路ｄ１により、識別通路１４−１が形成される。この時、他の識別通路は形成されない。組立片Ｑの組立時の表面側には、貫通通路ｑ１の開口部付近に番号「１」が付されている。この番号「１」の付された貫通通路ｑ１を含んだ識別通路１４−１が形成され、他の識別通路は形成されないことにより、第一の組立方法によって組み立てたことを判別できる。なお、各組立片Ｖ，Ｃ，Ｆ，Ｄ及びＱを裏返して組み立てても完成体１２を形成できるから、組立片Ｑの裏側から見える貫通通路ｑ１の他の開口部付近には、図５に示すように、番号「１」に対応した番号「１’」が付されており、各組立片Ｖ，Ｃ，Ｆ，Ｄ及びＱを裏返して組み立てた時には、番号「１’」が外から見えるように構成されている。
【００１４】
図２に示す完成体１２−２は、第二の組立方法により組み立てた完成体である。完成体１２−２を組み立てた時、組立片Ｑの貫通通路ｑ２、組立片Ｖの貫通通路ｖ２、及び組立片Ｆの貫通通路ｆ２により、識別通路１４−２が形成される。組立片Ｑの組立時の表面側には、貫通通路ｑ２の開口部付近に番号「２」が付されている。この番号「２」の付された貫通通路ｑ２を含んだ識別通路１４−２が形成されることにより、第二の組立方法によって組み立てたことを判別できる。組立片Ｑの裏側には、図５に示すように、番号「２」に対応した番号「２’」が付されている。
【００１５】
図３に示す完成体１２−３は、第三の組立方法により組み立てた完成体である。完成体１２−３を組み立てた時、組立片Ｃの貫通通路ｃ３、組立片Ｑの貫通通路ｑ３、及び組立片Ｄの貫通通路ｄ３により、識別通路１４−３が形成される。組立片Ｃの組立時の表面側には、貫通通路ｃ３の開口部付近に番号「３」が付されている。この番号「３」の付された貫通通路ｃ３を含んだ識別通路１４−３が形成されることにより、第三の組立方法によって組み立てたことを判別できる。組立片Ｃの裏側には、図６に示すように、番号「３」に対応した番号「３’」が付されている。なお、組立片Ｃは、線対称軸１６を有するため、表向けて組み立てても裏返して組み立てても同じ結果を得ることができるため、完成体１２−３を組み立てた時に識別通路１４−３が塞がらないように、全部の貫通通路は線対称軸１６に対して対称になるように設けられている。
【００１６】
図４に示す完成体１２−４は、第四の組立方法により組み立てた完成体である。完成体１２−４を組み立てた時、組立片Ｃの貫通通路ｃ４、組立片Ｑの貫通通路ｑ４、及び組立片Ｄの貫通通路ｄ４により、識別通路１４−４が形成される。組立片Ｃの組立時の表面側には、貫通通路ｃ４の開口部付近に番号「４」が付されている。この番号「４」の付された貫通通路ｃ４を含んだ識別通路１４−４が形成されることにより、第四の組立方法によって組み立てたことを判別できる。組立片Ｃの裏側には、図６に示すように、番号「４」に対応した番号「４’」が付されている。
【００１７】
このような組立パズル１０の製造方法について以下に説明する。
【００１８】
まず、紙面、コンピューター画面上又は模型などを用いて組立パズル１０を組み立てて図を作成する。例えば、第一の組立方法によって組み立てた図１に示す完成体１２−１の場合、図７（ａ）の正面図、図７（ｂ）の正面側２段目断面図（α−α断面図）、図７（ｃ）の正面側３段目断面図（β−β断面図）、図８（ａ）の側面図、図８（ｂ）の側面側２段目断面図（γ−γ断面図）、図８（ｃ）の側面側３段目断面図（δ−δ断面図）、図９（ａ）の平面図、図９（ｂ）の平面側２段目断面図（ε−ε断面図）、図９（ｃ）の平面側３段目断面図（ν−ν断面図）を描く。次に、これらの図を見ながら、なるべく多くの組立片を貫通できるように識別通路の位置を決定する。例えば、組立片Ｑ、Ｖ、Ｄを貫通する識別通路１４−１を決定する。
【００１９】
次に、他の組立方法による完成体についても、上述のような図を作成し、最適な識別通路な識別通路を決定する。このようにして、識別通路１４−１、１４−２、１４−３、１４−４を決定した後、実際に部材の加工を行い組立パズル１０を製造する。
【００２０】
上述の組立パズル１０によれば、組み立てた時に、識別通路１４−１〜１４−４の中の如何なる識別通路が貫通し形成されたかにより、４通りの組立方法の中の如何なる組立方法であるかを瞬時に認識できる。
【００２１】
以上、本発明の一実施形態について説明したが、本発明は、この実施形態には限定されない。
【００２２】
例えば、本発明の組立パズルは、上述のように、５個の組立片Ｖ，Ｃ，Ｆ，Ｄ及びＱから構成されるものには限定されない。例えば、図１０に示す組立パズル５０であっても良い。この組立パズル５０は、５個の組立片Ｐ、Ｆ、Ｑ、Ｃ、及びＯから構成され、３通りの組立方法が存在する。図１０（ａ）は第二の組立方法により組み立てることによって完成体５２−２において識別通路５４−２が貫通した状態を示す。なお、組立片Ｏは、中心点５６に対して点対称な形状であるため、貫通通路ｑ１は点対称に配置されている。
【００２３】
ここで、本発明の組立パズルの形状の決定方法について図１１〜図１６に従い、以下に説明する。各組立片は、立方体の構成単位１００を合体した形状である。図１１は、構成単位１００を２個合体させた形状の組立片Ｉを示す。図１２は、構成単位１００を３個合体させた組立片Ｖ及びＨを示す。図１３は、構成単位１００を４個合体させた組立片Ｏ、Ｌ、Ｔ及びＺを示す。図１４は、構成単位１００を５個合体させた組立片Ｃ、Ｗ、Ｐ、Ａ及びＸを示す。図１５は、構成単位１００を６個合体させた組立片Ｆ、Ｊ、Ｄ及びＲを示す。図１６は、構成単位１００を７個合体させた組立片Ｍ、Ｎ、Ｋ、Ｑ、Ｕ及びＥを示す。これらの組立片からいずれか複数を選択し、全ての組立片の構成単位の数の合計が２７であれば、組立パズルを構成することができる。選択した複数の組立片によって完成体を形成できるか否かは、紙面、コンピューター画面上又は模型などを用いて実際に組み立てて確認する。
【００２４】
また、組立片の構成単位は、立方体に限定されず、三角柱や直方体等でも良い。例えば、図１７に示すように、組立片１０４及び１０６の構成単位１０２が三角柱であっても良い。
【００２５】
また、上述の実施例では、一つの識別通路で一つの組立方法を識別する場合について説明したが、二以上の識別通路により一つの組立方法を識別するように構成しても良い。例えば、図１８〜図２１に示すように、二つの識別通路により一つの組立方法を識別できる組立パズル１１０であっても良い。組立パズル１１０は、６個の組立片Ｐ，Ｑ，Ｊ，Ｖ，Ｌ、Ｉによって構成される。図１８は第一の組立方法によって組み立てた完成体１１２−１を示し、完成体１１２−１は、貫通通路ｌ１１とｑ１１によって構成される識別通路１１４−１１、及び、貫通通路ｑ１２とｐ１２とｊ１２によって構成される識別通路１１４−１２を有している。図１９は第二の組立方法によって組み立てた完成体１１２−２を示し、完成体１１２−２は、識別通路１１４−１１、及び、貫通通路ｑ２２とｐ２２とｊ２２によって構成される識別通路１１４−２２を有している。図２０は第三の組立方法によって組み立てた完成体１１２−３を示し、完成体１１２−３は、貫通通路ｌ３１とｖ３１とｑ３１とによって構成される識別通路１１４−３１、及び、貫通通路ｐ１２とｑ１２とｊ１２によって構成される識別通路１１４−３２を有している。図２１は第四の組立方法によって組み立てた完成体１１２−４を示し、完成体１１２−４は、識別通路１１４−３１、及び、貫通通路ｐ１２とｑ４２とｊ４２によって構成される識別通路１１４−４２を有している。いずれの二つの識別通路が構成されたかにより、組立方法を識別できる。
【００２６】
また、組立片は構成単位１００を平面的に一体化したものに限定されない。例えば、図２２及び図２３に示すように、立体的に一体化した組立片αを含む組立パズル１２０であっても良い。図２２に第一の組立方法による完成体１２２−１を示し、図２３に第二の組立方法による完成体１２２−２を示す。
【００２７】
以上、本発明の実施形態について図面に基づいて説明したが、本発明は図示したものには限定されない。例えば、本発明の組立パズルは、立方体の形状に限定されず、直方体や球であっても良い。また、平面的に組み立てて一定形状を形成するものでも良い。また、本発明において、識別通路は直線状のものに限定されず、曲がったものや枝分かれするものでも良い。また、識別通路の中に、識別マークを配置しても良く、仏像、風景又はアニメ等の図柄が表れるように構成しても良い。また、電気的識別信号等を配置しても良い。本発明の寸法は、特に限定されず、識別通路を人が通り抜けられる程度の大きさであっても良い。また、通路を通る主体は気体、光、電流など、通路の形成媒体によって選ぶことができる。
【００２８】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００２９】
本発明の組立パズル及び組立パズルの製造方法によれば、如何なる組立方法によって組み立てたのかを識別通路によって識別できるとともに組立パズルの楽しさを増大させることができる。このため、組立パズルとして広く利用できる。
【図面の簡単な説明】
【００３０】
【図１】本発明の組立パズルを示す図であり、同図（ａ）は一の組立方法により組み立てた状態を示す斜視図であり、同図（ｂ）はその組立方法により組み立てる状態を示す斜視図である。
【図２】図１の組立パズルを示す図であり、同図（ａ）は他の組立方法により組み立てた状態を示す斜視図であり、同図（ｂ）はその組立方法により組み立てる状態を示す斜視図である。
【図３】図１の組立パズルを示す図であり、同図（ａ）は更に他の組立方法により組み立てた状態を示す斜視図であり、同図（ｂ）はその組立方法により組み立てる状態を示す斜視図である。
【図４】図１の組立パズルを示す図であり、同図（ａ）は更に他の組立方法により組み立てた状態を示す斜視図であり、同図（ｂ）はその組立方法により組み立てる状態を示す斜視図である。
【図５】図１の組立パズルの一の組立片を示す図であり、同図（ａ）は正面図であり、同図（ｂ）は背面図である。
【図６】図１の組立パズルの他の組立片を示す図であり、同図（ａ）は正面図であり、同図（ｂ）は背面図である。
【図７】図１の組立パズルの製造方法を説明するための図であり、同図（ａ）は正面図、同図（ｂ）は正面側２段目断面図（α−α断面図）であり、同図（ｃ）は正面側３段目断面図（β−β断面図）である。
【図８】図１の組立パズルの製造方法を説明するための図であり、同図（ａ）は側面図、同図（ｂ）は側面側２段目断面図（γ−γ断面図）であり、同図（ｃ）は側面側３段目断面図（δ−δ断面図）である。
【図９】図１の組立パズルの製造方法を説明するための図であり、同図（ａ）は平面図、同図（ｂ）は平面側２段目断面図（ε−ε断面図）であり、同図（ｃ）は平面側３段目断面図（ν−ν断面図）である。。
【図１０】本発明の組立パズルの他の実施形態を示す図であり、同図（ａ）は一の組立方法により組み立てた状態を示す斜視図であり、同図（ｂ）はその組立方法により組み立てる状態を示す斜視図である。
【図１１】本発明の組立パズルの形状の決定方法について説明するための図であり、一の組立片の構成図である。
【図１２】本発明の組立パズルの形状の決定方法について説明するための図であり、他の組立片の構成図である。
【図１３】本発明の組立パズルの形状の決定方法について説明するための図であり、更に他の組立片の構成図である。
【図１４】本発明の組立パズルの形状の決定方法について説明するための図であり、更に他の組立片の構成図である。
【図１５】本発明の組立パズルの形状の決定方法について説明するための図であり、更に他の組立片の構成図である。
【図１６】本発明の組立パズルの形状の決定方法について説明するための図であり、更に他の組立片の構成図である。
【図１７】本発明の組立パズルの組立片の他の実施形態を示す斜視図である。
【図１８】本発明の組立パズルの更に他の実施形態を示す図であり、同図（ａ）は一の組立方法により組み立てた状態を示す斜視図であり、同図（ｂ）はその組立方法により組み立てる状態を示す斜視図である。
【図１９】図１８の組立パズルを示す図であり、同図（ａ）は他の組立方法により組み立てた状態を示す斜視図であり、同図（ｂ）はその組立方法により組み立てる状態を示す斜視図である。
【図２０】図１８の組立パズルを示す図であり、同図（ａ）は更に他の組立方法により組み立てた状態を示す斜視図であり、同図（ｂ）はその組立方法により組み立てる状態を示す斜視図である。
【図２１】図１８の組立パズルを示す図であり、同図（ａ）は更に他の組立方法により組み立てた状態を示す斜視図であり、同図（ｂ）はその組立方法により組み立てる状態を示す斜視図である。
【図２２】本発明の組立パズルの更に他の実施形態を示す図であり、同図（ａ）は一の組立方法により組み立てた状態を示す斜視図であり、同図（ｂ）はその組立方法により組み立てる状態を示す斜視図である。
【図２３】図１８の組立パズルを示す図であり、同図（ａ）は他の組立方法により組み立てた状態を示す斜視図であり、同図（ｂ）はその組立方法により組み立てる状態を示す斜視図である。
【符号の説明】
【００３１】
１０、５０、１１０、１２０：組立パズル
１２−１、１２−２、１２−３、１２−４、５２−２、１１２−１、１１２−２、１１２−３、１１２−４：完成体
１４−１、１４−２、１４−３、１４−４、５４−２、１１４−１１、１１４−１２、１１４−２２、１１４−３１、１１４−３２、１１４−４２：識別通路
１６：線対称軸
Ｉ、Ｖ、Ｈ、Ｏ、Ｌ、Ｔ、Ｚ、Ｃ、Ｗ、Ｐ、Ａ、Ｘ、Ｆ、Ｊ、Ｄ、Ｒ、Ｑ、Ｕ、Ｅ、Ｍ、Ｎ、Ｋ、α、１０４，１０６：組立片
ｑ１、ｖ１、ｄ１、ｑ２、ｖ２、ｆ２、ｃ３、ｑ３、ｄ３、ｑ１２、ｐ１２、ｊ１２、ｑ２２、ｐ２２、ｊ２２、ｌ３１、ｖ３１、ｑ４２、ｊ４２：貫通通路
【図１】
0004459874.tif 000002
【図２】
0004459874.tif 000003
【図３】
0004459874.tif 000004
【図４】
0004459874.tif 000005
【図５】
0004459874.tif 000006
【図６】
0004459874.tif 000007
【図７】
0004459874.tif 000008
【図８】
0004459874.tif 000009
【図９】
0004459874.tif 000010
【図１０】
0004459874.tif 000011
【図１１】
0004459874.tif 000012
【図１２】
0004459874.tif 000013
【図１３】
0004459874.tif 000014
【図１４】
0004459874.tif 000015
【図１５】
0004459874.tif 000016
【図１６】
0004459874.tif 000017
【図１７】
0004459874.tif 000018
【図１８】
0004459874.tif 000019
【図１９】
0004459874.tif 000020
【図２０】
0004459874.tif 000021
【図２１】
0004459874.tif 000022
【図２２】
0004459874.tif 000023
【図２３】
0004459874.tif 000024